(57)【要約】【課題】  電力供給の新規の申込みに対して低コストでの対応を実現することのできる変圧器新設・増設判定プログラムを提供する。【解決手段】  変圧器新設・増設判定プログラムをコンピュータにおいて実行させることで、入力された新規の電力供給の条件を用いて新規の電力供給の昼負荷と夜負荷とが算出される。さらに、該既設の変圧器のピークが判定されて、その判定結果に基づいて該変圧器の昼負荷と夜負荷とが算出される。これらの算出結果より、該変圧器で新規の電力供給を行なった場合の昼負荷と夜負荷とが算出され、この最大値が該変圧器の限界外であった場合には、変圧器新設・増設工事を実施するものと判定される。そして、これらの算出結果と判定結果とが１つの画面に表示される。変圧器新設・増設工事が必要な場合、データベースから既設の利用率の低い変圧器が抽出される。【選択図】        図９
2005339328.tif 000002
【特許請求の範囲】
【請求項１】
新規の電力供給の申込みに対して、変圧器を新設および増設するか否かの判定処理をコンピュータに実行させるプログラムであって、
前記新規の電力供給に関する条件として、少なくとも申込負荷条件と申込柱条件とを入力する条件入力ステップと、
前記入力された申込柱条件に基づいて、既設の変圧器の情報を格納するデータベースより、第１の変圧器と、前記第１の変圧器の設置場所を含む前記第１の変圧器に関する情報とを抽出する既設変圧器抽出ステップと、
前記第１の変圧器に関する情報より、前記第１の変圧器の供給限度を算出する限度算出ステップと、
前記入力された申込負荷条件より、時間帯ごとの負荷を算出する申込負荷算出ステップと、
前記第１の変圧器に関する情報より、前記第１の変圧器の運転のピークである時間帯を判定するピーク判定ステップと、
前記判定されたピークである時間帯に基づいて、前記第１の変圧器の時間帯ごとに負荷を算出する第１の変圧器負荷算出ステップと、
前記第１の変圧器を用いて前記新規の申込負荷供給を行なった場合の、前記第１の変圧器の時間帯ごとに負荷を算出する第２の変圧器負荷算出ステップと、
前記第２の変圧器負荷算出ステップで算出された負荷と、前記供給限度とを比較して、前記第１の変圧器を活用して前記新規の申込負荷供給を行なうか否かを判定する判定ステップと、
前記判定の結果、前記第１の変圧器を活用して前記新規の申込負荷供給を行なわない判定がなされた場合、前記申込負荷供給に適切な第２の変圧器を算定する変圧器容量算定ステップと、
前記データベースより、前記第１の変圧器に関する情報と前記算定された第２の変圧器とに基づいて、前記第２の変圧器と同容量の、前記第１の変圧器の設置場所に近い第３の変圧器を検出する検出ステップとを実行させる、変圧器新設・増設判定プログラム。
【請求項２】
前記新規の申込負荷供給を行なうために前記第２の変圧器を新設する場合の第１のコストを算出する第１のコスト算出ステップと、
前記第３の変圧器を活用して、前記新規の申込負荷供給を行なうための第２のコストを算出する第２のコスト算出ステップとを実行させ、
前記判定ステップは、前記算出された前記第１のコストと前記第２のコストとの大小関係をさらに用いて前記第３の変圧器を活用して前記新規の申込負荷供給を行なうか否かを判定する、請求項１に記載の変圧器新設・増設判定プログラム。
【請求項３】
前記限度算出ステップにおける算出結果と、前記申込負荷算出ステップにおける算出結果と、前記第１の変圧器負荷算出ステップにおける算出結果と、前記第２の変圧器負荷算出ステップにおける算出結果と、前記判定ステップにおける判定結果とを、１つの画面において表示する表示ステップをさらに実行させる、請求項１または２に記載の変圧器新設・増設判定プログラム。
【請求項４】
前記表示ステップは、前記検出された第３の変圧器を、前記第３の変圧器の設置場所に基づいてメッシュ表示する、請求項３に記載の変圧器新設・増設判定プログラム。
【請求項５】
請求項１〜４のいずれかに記載の変圧器新設・増設判定プログラムを記録する、コンピュータ読取可能な記録媒体。
【発明の詳細な説明】
【技術分野】
【０００１】
この発明は変圧器新設・増設判定プログラムおよび変圧器新設・増設判定プログラムを記録する記録媒体に関し、特に、電力供給の新規の申込みに対して低コストでの対応を実現することのできる変圧器新設・増設判定プログラムおよび変圧器新設・増設判定プログラムを記録する記録媒体に関する。
【背景技術】
【０００２】
電力供給業務において電力を供給する際には、変電所から高圧で供給された電力が変圧器で低圧に変圧されて、申込まれた各戸に供給される。その際、新規に電力供給の申込みがなされると、従来は、該当する場所に新規に変圧器を設置する工事を行なって、新規の電力供給の申込みに対応している。この変圧器のスペックを決定する際には、所定の負荷算出方法を用いて負荷を算出する。
【特許文献１】特開２００１−３４４３０７号公報
【特許文献２】特開２００２−３２４３８号公報
【特許文献３】特開２００３−８５４３０号公報
【発明の開示】
【発明が解決しようとする課題】
【０００３】
しかしながら、かかる負荷算出方法を採用して負荷を算出する場合、パラメータが多く計算に手間がかかるという問題があった。
【０００４】
また、すべての新規申込み対して変圧器を新設すると、そのコストがかかるという問題もあった。
【０００５】
変圧器の設置工事などにおける情報交換や見積もりの作成や受発注を行なって支援するシステムとして、特許文献１に建設関連支援システムが開示されており、さらに、特許文献３には、インターネットを介して変圧器の受注を行なうことのできる変圧器の受注支援方法が開示されているが、これらのシステムや方法を用いたとしても、適切なコストダウンが図られないという問題があった。
【０００６】
また、特許文献２には、工場などにおけるエネルギ消費量を計測してエネルギ消費の変動量（削減量）を演算し、省エネルギを促進できるエネルギサービス事業システムが開示されているが、かかるエネルギ消費の変動量の演算を応用した場合であっても、最適な変圧器のスペックを決定することは難しいという問題があった。
【０００７】
本発明はこのような問題に鑑みてなされたものであって、電力供給の新規の申込みに対して低コストでの対応を実現することのできる変圧器新設・増設判定プログラムおよび変圧器新設・増設判定プログラムを記録する記録媒体を提供することを目的とする。
【課題を解決するための手段】
【０００８】
上記目的を達成するために、本発明のある局面に従うと、変圧器新設・増設判定プログラムは、新規の電力供給の申込みに対して、変圧器を新設および増設するか否かの判定処理をコンピュータに実行させるプログラムであって、新規の電力供給に関する条件として、少なくとも申込負荷条件と申込柱条件とを入力する条件入力ステップと、入力された申込柱条件に基づいて、既設の変圧器の情報を格納するデータベースより、第１の変圧器と、第１の変圧器の設置場所を含む第１の変圧器に関する情報とを抽出する既設変圧器抽出ステップと、第１の変圧器に関する情報より、第１の変圧器の供給限度を算出する限度算出ステップと、記入力された申込負荷条件より、時間帯ごとの負荷を算出する申込負荷算出ステップと、第１の変圧器に関する情報より、第１の変圧器の運転のピークである時間帯を判定するピーク判定ステップと、判定されたピークである時間帯に基づいて、第１の変圧器の時間帯ごとに負荷を算出する第１の変圧器負荷算出ステップと、第１の変圧器を用いて新規の申込負荷供給を行なった場合の、第１の変圧器の時間帯ごとに負荷を算出する第２の変圧器負荷算出ステップと、第２の変圧器負荷算出ステップで算出された負荷と、供給限度とを比較して、第１の変圧器を活用して新規の申込負荷供給を行なうか否かを判定する判定ステップと、判定の結果、第１の変圧器を活用して新規の申込負荷供給を行なわない判定がなされた場合、申込負荷供給に適切な第２の変圧器を算定する変圧器容量算定ステップと、データベースより、第１の変圧器に関する情報と算定された第２の変圧器とに基づいて、第２の変圧器と同容量の、第１の変圧器の設置場所に近い第３の変圧器を検出する検出ステップとを実行させる。
【０００９】
また、変圧器新設・増設判定プログラムは、新規の申込負荷供給を行なうために第２の変圧器を新設する場合の第１のコストを算出する第１のコスト算出ステップと、第３の変圧器を活用して、新規の申込負荷供給を行なうための第２のコストを算出する第２のコスト算出ステップとを実行させ、判定ステップは、算出された第１のコストと第２のコストとの大小関係をさらに用いて第３の変圧器を活用して新規の申込負荷供給を行なうか否かを判定することが好ましい。
【００１０】
また、変圧器新設・増設判定プログラムは、限度算出ステップにおける算出結果と、申込負荷算出ステップにおける算出結果と、第１の変圧器負荷算出ステップにおける算出結果と、第２の変圧器負荷算出ステップにおける算出結果と、判定ステップにおける判定結果とを、１つの画面において表示する表示ステップをさらに実行させることが好ましい。
【００１１】
さらに、表示ステップは、検出された第３の変圧器を、第３の変圧器の設置場所に基づいてメッシュ表示することがより好ましい。
【００１２】
本発明の他の局面に従うと、記録媒体はコンピュータ読取可能な記録媒体であって、上述の変圧器新設・増設判定プログラムを記録する。
【発明を実施するための最良の形態】
【００１３】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１４】
本実施の形態にかかるシステムは、電力供給業務において新規に電灯申込みがなされた場合に用いられるシステムであって、図１に示されるような場合に用いられるシステムである。すなわち、図１を参照して、電力を供給する際には、変電所から高圧で供給された電力が変圧器で低圧に変圧されて、申込まれた各戸に供給される。その際、新規の変圧器を設置する従来の方法に替えて、その近隣に利用率の低い変圧器があるときには小容量の変圧器に取替えて、該変圧器を新規に供給するための変圧器として流用する。具体的には、図１に示されるように、新規に電力供給の申込みがあった場合に、その近隣の３０ｋＶＡの負荷を処理可能な変圧器が１０ｋＶＡ程度の負荷を処理している場合、該３０ｋＶＡの処理能力の変圧器を１０ｋＶＡの処理能力の変圧器に置換え、該３０ｋＶＡの処理能力の変圧器を用いて新規の申込みに対応する。
【００１５】
このような対応を行なう際、図２のフローチャートに示される業務フローチャートが実行される。図２を参照して、始めに、申込柱条件から既設の変圧器（低圧バンク）の情報を確認する（Ｓ１）。
【００１６】
次に、申込まれた条件から、所定の負荷算出方法を用いて負荷を算出する（Ｓ３）。そして、ステップＳ３の算出結果より、必要とする変圧器の容量を決定する（Ｓ５）。
【００１７】
次に、ステップＳ５で決定された必要な変圧器の容量を満たす近隣の低圧バンクを検索する（Ｓ７）。そして、ステップＳ７で検索された活用する対処となった低圧バンクの不良状況を確認する（Ｓ９）。
【００１８】
次に、単純に、該申込みに対応して新規の変圧器を新設した場合と、検索された低圧バンクを活用する場合との工事費用を比較し（Ｓ１１）、その比較結果に応じて、該低圧バンクの活用を決定する。
【００１９】
そして、活用する変圧器をその旨管理し（Ｓ１３）、かかる対応のための設計書を作成する（Ｓ１５）。
【００２０】
上述の業務フローにおいて、本実施の形態にかかる変圧器新設・増設判定プログラムが活用される
図３は、本変圧器新設・増設判定プログラムを実行させるコンピュータのハードウェア構成の具体例を示す図である。図３に示されるコンピュータのハードウェア構成は、一般的なコンピュータのハードウェア構成であって、具体的には、コンピュータ全体の制御を行なうＣＰＵ（Central Processing Unit）１１を含んで構成される。ＣＰＵ１１は、ＲＯＭ（Read Only Memory）１４またはＨＤＤ（Hard Disc Drive）１６に格納されているプログラムを読出してＲＡＭ（Random Access Memory）１５上に展開して実行する。その際、キーボードやマウスなどの入力装置１２から指示入力を受付け、計算結果をディスプレイなどの表示装置１３に表示させる。
【００２１】
次に、図４に、本実施の形態にかかる変圧器新設・増設判定プログラムを実行させて処理を行なう際の、コンピュータの機能構成をブロック図で示す。図４のブロック図に示される各機能は、コンピュータのＣＰＵ１１がＲＯＭ１４またはＨＤＤ１６に格納されている変圧器新設・増設判定プログラムを読出してＲＡＭ１５上に展開して実行することで発揮される機能である。
【００２２】
図４を参照して、コンピュータは、コンピュータ全体を制御するＣＰＵ１１などで構成される制御部１０１と、制御部１０１で実行されるプログラムや各種データなどを記憶するＲＯＭ１４やＲＡＭ１５やＨＤＤ１６などで構成される記憶部１０２と、低圧バンクの情報を記憶する低圧バンクＤＢ（データベース）１０３と、入力装置１２などから構成される条件入力部１０４と、ピーク判定部１０５と、変圧器吊替限度算出部１０６と、負荷算出部１０７と、既設バンク抽出部１０９と、工事要否判定部１０８と、工事費用比較部１１０とを含んで構成される。
【００２３】
なお、図３および図４においては、かかる処理を行なう装置が１台のコンピュータ装置であるものとしているが、ネットワークを介して相互に通信を行なう複数のコンピュータ装置から構成されてもよい。
【００２４】
条件入力部１０４は、新規の電力供給の申込みに関する負荷などの条件の入力を受付ける。そして、受付けた条件を、負荷算出部１０７と、既設バンク抽出部１０９とに渡す。
【００２５】
既設バンク抽出部１０９は、条件入力部１０４から渡された新規の申込条件から、既設の低圧バンクを低圧バンクＤＢ１０３から抽出する。そして抽出結果を、ピーク判定部１０５と負荷算出部１０７と変圧器吊替限度算出部１０６とに渡す。
【００２６】
負荷算出部１０７は、条件入力部１０４から渡された新規の申込条件と、既設バンク抽出部１０９から渡された抽出された抽出結果とから、新規に必要となる負荷を算出する。
【００２７】
ピーク判定部１０５は、既設バンク抽出部１０９から渡された抽出結果より、抽出された低圧バンクのピークを判定し、判定結果を負荷算出部１０７に渡す。なお、ここでのピークとは、一日の電力供給量において、供給量が集中する時間帯のことを指す。該ピークとしては、一般的には、昼間に集中する昼ピーク、夜間に集中する夜ピークが挙げられる。
【００２８】
負荷算出部１０７は、既設バンク抽出部１０９から渡された抽出結果と、ピーク判定部１０５から渡された判定結果とから、該低圧バンクの負荷を算出する。さらに、先に算出された新規に必要となる負荷も用いて、かかる供給を行なった場合の該低圧バンクの負荷を算出する。そして、負荷算出部１０７は、算出結果を工事要否判定部１０８に渡す。
【００２９】
変圧器吊替限度算出部１０６は、既設バンク抽出部１０９から渡された抽出結果から、該低圧バンクの供給能力の限度である変圧器吊替限度を算出し、算出結果を工事要否判定部１０８に渡す。
【００３０】
工事要否判定部１０８は、負荷算出部１０７から渡された算出結果と、変圧器吊替限度算出部１０６から渡された変圧器吊替限度とから、該低圧バンクでの供給が可能であるか否かを判定する。さらに、該低圧バンクでの供給が不可能である場合は、申込負荷供給に適切な変圧器を算出する。
【００３１】
このようなコンピュータにおいて、本実施の形態にかかる変圧器新設・増設判定プログラムを実行して行なわれる処理について、図５のフローチャートを用いて説明する。図５のフローチャートに示される処理は、コンピュータのＣＰＵ１１がＲＯＭ１４またはＨＤＤ１６に格納されている変圧器新設・増設判定プログラムを読出してＲＡＭ１５上に展開して実行することで、制御部１０１が図４に示される各機能を制御して実現される処理である。
【００３２】
図５を参照して、始めに、コンピュータの入力装置１２において、新規に申込む、新設の負荷を含む条件の入力を受付ける（Ｓ１０１）。ステップＳ１０１では、具体的には、新設の負荷と、動力と、新設される電柱の情報とを含む条件が入力される。
【００３３】
次に、ステップＳ１０１で入力された条件に基づいて、申込負荷に供給する既設の変圧器情報を抽出する（Ｓ１０３）。
【００３４】
次に、ステップＳ１０１で入力された負荷条件と、ステップＳ１０３で抽出された低圧バンクの負荷とから、申込負荷の昼時間体の負荷である昼負荷と、申込負荷の夜時間帯の負荷である夜負荷と、動力負荷とが算出される（Ｓ１０５）。
【００３５】
次に、ステップＳ１０３で抽出された低圧バンクについて、ピーク判定部１０５においてそのピークが判定され（Ｓ１０７）、判定されたピークを利用して該低圧バンクの昼負荷と夜負荷とか算出される（Ｓ１０９）。ステップＳ１０７でのピーク判定部１０５における判定は、具体的には、まず、以下の（１）式と（２）式とから値Ａと値Ｂとが算出されて、その大小関係で判定される。すなわち、
Ａ＝（共用Ｔｒ−深夜負荷−（動力負荷×０．２５＋三相深夜負荷）÷２）÷０．７５
・・・（１）式
Ｂ＝共用Ｔｒ負荷−契約内最大蓄熱負荷１口分−動力負荷÷２
・・・（２）式
で得られる値Ａ，Ｂについて、Ａ≧Ｂが成立する低圧バンクは昼ピークであり、Ａ≦Ｂが成立する低圧バンクは夜ピークであると判定される。そこで、ステップＳ１０９では、以下の（３）式で得られる昼負荷と、（４）式で得られる深夜負荷とに基づいて夜負荷が算出される。
【００３６】
昼負荷＝（電灯負荷＋契約内最大蓄熱負荷１口分＋動力負荷÷２）÷１．１                                                                            ・・・（３）式
深夜負荷＝（電灯負荷×０．７５＋単相深夜負荷＋（動力負荷×０．２５＋三相深夜負荷）÷２）÷１．１                                                ・・・（４）式
さらに、ステップＳ１０５で算出された申込負荷の昼負荷および夜負荷と、ステップＳ１０９で算出された低圧バンクの昼負荷および夜負荷とから、該低圧バンクで申込まれた条件で給電した場合の昼負荷および夜負荷が算出される（Ｓ１１１）。
【００３７】
次に、変圧器吊替限度算出部１０６において、ステップＳ１０３で抽出された該低圧バンクについての情報から、該低圧バンクの供給能力の限度である変圧器吊替限度が算出される（Ｓ１１３）。ステップＳ１１３での変圧器吊替限度の算出は、変圧器種別や季節などに対応して予め記憶部１０２に格納されている算出式を用いるものとし、ステップＳ１０３で抽出された該低圧バンクについての情報がパラメータとして入力されて変圧器吊替限度が得られる。
【００３８】
そして、ステップＳ１１１で算出された昼負荷と夜負荷とのうちの大きい方の負荷が、ステップＳ１１３で算出された該低圧バンクの変圧器吊替限度以内である場合には（Ｓ１１５でＹＥＳ）、既設変圧器による申込負荷供給を行ない、変圧器工事を実施しないこととする（Ｓ１２５）。そして、本処理を終了する。
【００３９】
一方、そして、ステップＳ１１１で算出された昼負荷と夜負荷とのうちの大きい方の負荷が、ステップＳ１１３で算出された該低圧バンクの変圧器吊替限度を超える場合には（Ｓ１１５でＮＯ）、ステップＳ１１７にて、申込負荷供給に適切な変圧器容量を算出する。
【００４０】
次に、ステップＳ１１９において、ステップＳ１０３で抽出された既設の変圧器情報に基づいて、低圧バンクＤＢ１０３からその場所に隣接する利用率の低い変圧器が抽出される。ステップＳ１２１で、低利用率変圧器活用工事費と変圧器新設の工事費とを算出し、比較する。そして、抽出された利用率の低い変圧器が、活用する変圧器として低圧バンクＤＢ１０３に登録される。
【００４１】
以上が、本実施の形態にかかる変圧器新設・増設判定プログラムをコンピュータで実行させた場合の処理である。
【００４２】
さらに、上述の変圧器新設・増設判定プログラムをＥＸＣＥＬ（登録商標）などの表計算ソフトウェアを用いてコンピュータにおいて実現させた場合の、表示画面の具体例を用いて、具体的に上述の処理を説明する。
【００４３】
始めに、図６に具体例が示される低圧バンク入力画面を表示装置１３に表示させて、低圧バンクの情報を入力する。図６を参照して、低圧バンクに関する情報として、該バンクの負荷と、深夜負荷と、すでに供給している戸数である電灯軒数や動力軒数と、設置されている場所を示すメッシュとを入力する。
【００４４】
上述のステップＳ１０１での申込みを行なう場合には、図７および図８に示されるような、他のシートである電灯申込負荷入力画面および動力申込負荷入力画面を表示させて、新規に申込む負荷の条件を入力する。これらの入力が完了し、図７および図８に示される「入力完了」ボタンを押すことで、図９に具体例示される変圧器工事判定画面に表示画面が切替わって、ステップＳ１１５での判定結果として該低圧バンクを活用するための外線の工事の要否が表示される。図９を参照して、変圧器工事判定画面では、上述のステップＳ１０９での該低圧バンクの負荷の算出結果（供給前）と、ステップＳ１０５での申込負荷の算出結果（供給申込み）と、ステップＳ１１３で算出された変圧器吊替限度と、それらを用いてステップＳ１１１で算出された該低圧バンクの負荷の算出結果（供給後（工事前））とが１つの画面に示されている。さらに、ステップＳ１１７で算出した該低圧バンクの増設工事（外線設備工事）を行なった場合の、該低圧バンクにおける負荷の算出結果（供給後（工事後））も示されている。
【００４５】
先述の「入力完了」ボタンが押されると、上述のステップＳ１１９では、自動的に図１０に示された低圧バンクＤＢ１０３から適当な低圧バンクが抽出されて、上述の処理が自動的に実行される。
【００４６】
上述のように、低圧バンクに関する情報にはその設置場所を示すメッシュが付加されているので、上述のステップＳ１１９では新設が申込まれた場所に基づいて低圧バンクが抽出される。より具体的には、新設が申込まれた場所がメッシュＫ６５０５で表わされる場所である場合、図１１に示されるように、図１０に示される低圧バンクに関する情報より該メッシュに近い順に低圧バンクが抽出される。図１１に示される低利用変圧器抽出画面の具体例においては、メッシュＫ６５０５に最も近い低圧バンク、つまりメッシュＫ６５０５で表わされる場所に設置されている低圧バンクが抽出されている。先述の「入力完了」ボタンが押されると、図１１に示されたような抽出された低圧バンクを用いて、上述の一連の処理が実行される。
【００４７】
図１０は、低圧バンクＤＢ１０３に該当するシートに記載された低圧バンクの一覧を表示した低利用変圧器管理画面の具体例を示す図である。本実施の形態にかかる変圧器新設・増設判定プログラムでは、図１０に示されるように低圧バンクに関する情報が低圧バンクＤＢ１０３に格納されるため、管理が容易になる。また、低圧バンクは複数の設計者が活用する可能性もあり、そのような場合に、図１０に示されるように低圧バンクに関する情報が低圧バンクＤＢ１０３に格納されることで、同一の低圧バンクが重複して活用されるのを防止することができる。
【００４８】
本実施の形態にかかる変圧器新設・増設判定プログラムが実行されることで、適当な低圧バンクを容易に抽出することが可能になる。さらに、図１２にて、低圧バンクを活用した場合と、新規申込みに伴って変圧器を新設する場合とのコスト計算を行なって、低コストの方を採用することが可能になる。図１３は、具体的なコスト計算を説明する図であって、図１３（Ａ）は新規申込みに伴って変圧器を新設する場合のコスト計算を説明する図で、図１３（Ｂ）は利用率の低い変圧器を活用した場合のコスト計算を説明する図である。
【００４９】
図１３（Ａ）に示されるように、新規申込みに伴って変圧器を新設する場合、必要なコストは、新規の変圧器を設置する工事費用と、該変圧器を運搬する工事費用と、該変圧器を購入する費用とから算出される。また、図１３（Ｂ）に示されるように、利用率の低い変圧器を活用した場合、必要なコストは、該利用率の低い変圧器を撤去する工事費用と、該利用率の低い変圧器よりも処理能力の低い変圧器を新たに設置する工事費用と、該低圧バンクを再度設置する工事費用と、これらの変圧器を運搬する工事費用と、かかる工事中に停電が発生することを周知するための費用と、該利用率の低い変圧器よりも処理能力の低い変圧器を新規に購入する費用とから算出される。
【００５０】
これらのコスト計算は、低圧バンクＤＢ１０３に格納されている低圧バンクに関する情報や、図７および図８に示された申込みの入力条件をパラメータとして工事費比較部１１０で実行することができる。つまり、上述の変圧器新設・増設判定プログラムにこの算出式を組込むことで、上述の低圧バンクの抽出および決定と同時に、コスト計算を行なうことも可能である。そして、これらのコストを自動的に比較して、新規申込みに伴って変圧器を新設するよりも低圧バンクを活用した方がコストが抑えられる場合に、最終的に低圧バンクを活用することを決定することが好ましい。
【００５１】
このような変圧器新設・増設判定プログラムを活用することで、従来は非常に煩雑であった負荷の計算を自動的に行なうことができて、正確性と迅速性とを向上させることができる。また、上述のように、本変圧器新設・増設判定プログラムにおいては、既設の低圧バンクの供給状況を時間帯別に解析するために、計算結果と実測との乖離を抑えることができ、実用的な供給予測を行なうことができる。また、予めコスト比較を行なった上で、既設の低圧バンクを活用するか否かを決定できるので、新規の電力供給の申込みに対応するためのコストを大幅に削減することができる。
【００５２】
さらにこのような変圧器新設・増設判定プログラムは、ＥＸＣＥＬ（登録商標）などの一般的な表計算ソフトウェアを用いて構築することができるため、汎用性が高く、プログラム作成のためのコストも抑えることができる。また、図９に具体例が示されたように、１つの画面に算出結果を表示させることで、該変圧器新設・増設判定プログラムの利用者の使い勝手をよくできる。
【００５３】
なお、このような変圧器新設・増設判定プログラムは、コンピュータに付属するフレキシブルディスク、ＣＤ−ＲＯＭ（Compact Disc-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、変圧器新設・増設判定プログラムを提供することもできる。また、ネットワークを介したダウンロードによって、変圧器新設・増設判定プログラムを提供することもできる。
【００５４】
提供されるプログラム製品は、ハードディスクなどのプログラム格納部にインストールされて実行される。なお、プログラム製品は、プログラム自体と、プログラムが記録された記録媒体とを含む。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】電力供給業務において新規に電力供給の申込みがなされた場合の対応を説明する図である。
【図２】電力供給業務において新規に電力供給の申込みがなされた場合の対応を行なう際の業務フローを説明するフローチャートである。
【図３】本実施の形態にかかる変圧器新設・増設判定プログラムを実行させるコンピュータのハードウェア構成の具体例を示すブロック図である。
【図４】本実施の形態にかかる変圧器新設・増設判定プログラムを実行させて処理を行なう際の、コンピュータの機能構成を示すブロック図である。
【図５】コンピュータにおいて、本実施の形態にかかる変圧器新設・増設判定プログラムを実行して行なわれる処理を表わすフローチャートである。
【図６】低圧バンク入力画面の具体例を示す図である。
【図７】電灯申込負荷入力画面の具体例を示す図である。
【図８】動力申込負荷入力画面の具体例を示す図である。
【図９】変圧器工事判定画面の具体例を示す図である。
【図１０】低利用変圧器管理画面の具体例を示す図である。
【図１１】低利用変圧器抽出画面の具体例を示す図である。
【図１２】低利用率変圧器活用判定画面の具体例を示す図である。
【図１３】低圧バンクを活用した場合と、新規申込みに伴って変圧器を新設する場合とのコスト計算を説明する図である。
【符号の説明】
【００５７】
１１  ＣＰＵ、１２  入力装置、１３  表示装置、１４  ＲＯＭ、１５  ＲＡＭ、１６  ＨＤＤ、１０１  制御部、１０２  記憶部、１０３  低圧バンクＤＢ、１０４  条件入力部、１０５  ピーク判定部、１０６  変圧器吊替限度算出部、１０７  負荷算出部、１０８  工事要否判定部、１０９  既設バンク抽出部、１１０  工事費比較部。
【図１】
2005339328.tif 000003
【図２】
2005339328.tif 000004
【図３】
2005339328.tif 000005
【図４】
2005339328.tif 000006
【図５】
2005339328.tif 000007
【図６】
2005339328.tif 000008
【図７】
2005339328.tif 000009
【図８】
2005339328.tif 000010
【図９】
2005339328.tif 000011
【図１０】
2005339328.tif 000012
【図１１】
2005339328.tif 000013
【図１２】
2005339328.tif 000014
【図１３】
2005339328.tif 000015